(57)【要約】【課題】本発明は、製造コストが低減された光コネクタを提供する。【解決手段】光コネクタ１０は、内側接続部２８を有する端子１１と、端子１１の一部が内部に導入されたコネクタハウジング１２と、コネクタハウジング１２内に収容されると共に、コネクタハウジング１２内に導入された端子１１の内側接続部２８に電気的に接続された端子側回路基板１３と、コネクタハウジング１２に形成されて端子側回路基板１３を保持するロア側基板保持部４２及びアッパー側基板保持部４４と、を備え、コネクタハウジング１２には、内側接続部２８と端子側回路基板１３とをコネクタハウジング１２の外部に露出させる開口部４３が形成されている。【選択図】図１
2014032298.tif 000002
【特許請求の範囲】
【請求項１】
内側接続部を有する端子と、
前記端子の一部が内部に導入されたコネクタハウジングと、
前記コネクタハウジング内に収容されると共に、前記コネクタハウジング内に導入された前記端子の前記内側接続部に電気的に接続された端子側回路基板と、
前記コネクタハウジングに形成されて前記端子側回路基板を保持する基板保持部と、を備え、
前記コネクタハウジングには、前記内側接続部と前記端子側回路基板とを前記コネクタハウジングの外部に露出させる開口部が形成されている光コネクタ。
【請求項２】
前記コネクタハウジングは、前記端子側回路基板が収容される収容部を備えたロアハウジングと、前記ロアハウジングに組み付けられるアッパーハウジングと、を備え、
前記基板保持部は、前記ロアハウジングに形成されたロア側基板保持部と、前記アッパーハウジングに形成されたアッパー側基板保持部と、を備え、
前記端子側回路基板は、前記アッパーハウジングが前記ロアハウジングに組み付けられた状態で、前記ロア側基板保持部と前記アッパー側基板保持部との間に挟まれて保持されている請求項１に記載の光コネクタ。
【請求項３】
前記開口部は前記アッパーハウジングに形成されている請求項２に記載の光コネクタ。
【請求項４】
前記コネクタハウジングの内部には、前記端子側回路基板に可撓性回路基板を介して電気的に接続されると共に光電変換素子が接続された素子側回路基板が収容されており、
前記素子側回路基板には前記光電変換素子を覆うと共に光ファイバーが内挿されるスリーブ部を備えたスリーブ部材が取り付けられており、
前記コネクタハウジングには前記スリーブ部材を保持するスリーブ保持部が形成されている請求項１ないし請求項３のいずれか一項に記載の光コネクタ。
【請求項５】
前記コネクタハウジングの外側には金属製のシールドシェルが取り付けられており、前記開口部は前記シールドシェルによって塞がれている請求項１ないし請求項４のいずれか一項に記載の光コネクタ。
【請求項６】
請求項１ないし請求項５のいずれか一項に記載の光コネクタと、前記コネクタハウジングの外部に位置する前記端子の外側接続部が接続された回路基板と、を備えた光通信基板。
【請求項７】
請求項６に記載された光通信基板がケース内に収容された光通信機器。
【発明の詳細な説明】
【技術分野】
【０００１】
本発明は、端子に接続された端子側回路基板を備えた光コネクタ、光通信基板、及び光通信機器に関する。
【背景技術】
【０００２】
従来、端子と、端子が内部に導入されたコネクタハウジングと、コネクタハウジング内に収容されてコネクタハウジング内に導入された端子に電気的に接続された端子側回路基板と、を備えた光コネクタが知られている（特許文献１参照）。端子と端子側回路基板とは、例えばはんだ付け等の公知の手法により電気的に接続されている。コネクタハウジングは、端子側回路基板が収容される収容部を備えたロアハウジングと、ロアハウジングに組み付けられて収容部を塞ぐアッパーハウジングと、を備える。
【０００３】
端子及び端子側回路基板がロアハウジングに収容された状態で、端子側回路基板に形成されたスルーホール内に端子の端部が挿通されて、ロアハウジングの上方から端子と端子側回路基板とがはんだ付けされるようになっている。その後、アッパーハウジングがロアハウジングに組み付けられて、収容部が塞がれる。
【先行技術文献】
【特許文献】
【０００４】
【特許文献１】特開２０１２−５３２４６号公報
【発明の概要】
【発明が解決しようとする課題】
【０００５】
しかしながら、上記の構成によると、端子側回路基板はロアハウジングの収容部内に単に収容されているだけなので、端子側回路基板とロアハウジングとの相対的な位置がずれてしまうおそれがある。このため、端子と端子側回路基板とのはんだ付け作業時には、端子側回路基板とロアハウジングとの相対的な位置がずれないように、治具によって端子側回路基板をロアハウジングに固定する必要がある。このため、上記の治具が必要となる上に、この治具を取り付けるための工程が必要となるので製造工程が増加するので、光コネクタの製造コストが増大してしまう。また、はんだ付け終了後には、この治具を取り外す工程が必要となるので、更に製造工程が増加してしまう。この結果、光コネクタの製造コストが増大するという問題があった。上記の問題は、ろう付け等、はんだ付けとは異なる手段により端子と端子側回路基板とを電気的に接続する際にも生じうる。
【０００６】
本発明は上記のような事情に基づいて完成されたものであって、製造コストが低減された光コネクタを提供することを目的とする。
【課題を解決するための手段】
【０００７】
本発明は、光コネクタであって、内側接続部を有する端子と、前記端子の一部が内部に導入されたコネクタハウジングと、前記コネクタハウジング内に収容されると共に、前記コネクタハウジング内に導入された前記端子の前記内側接続部に電気的に接続された端子側回路基板と、前記コネクタハウジングに形成されて前記端子側回路基板を保持する基板保持部と、を備え、前記コネクタハウジングには、前記内側接続部と前記端子側回路基板とを前記コネクタハウジングの外部に露出させる開口部が形成されている。
【０００８】
また、本発明は、光通信基板であって、光コネクタと、前記コネクタハウジングの外部に位置する前記端子の外側接続部が接続された回路基板と、を備える。
【０００９】
また、本発明は、光通信機器であって、光通信基板がケース内に収容されてなる。
【００１０】
本発明によれば、開口部から工具を挿入して、コネクタハウジングの外部に露出した状態になっている端子の内側接続部と端子側回路基板とを電気的に接続することができる。上記の接続作業の際、端子側回路基板は基板保持部で保持されることにより、コネクタハウジングとの相対的な位置がずれないようになっている。このため、端子側回路基板とコネクタハウジングとの相対的な位置がずれないように保持するための治具が不要となる。更には、この治具の取り付け工程、及び取り外し工程が不要となるので、製造工程も削減できる。この結果、光コネクタ、光通信基板、及び光通信機器の製造コストを削減できる。
【００１１】
本発明の実施態様としては以下の態様が好ましい。前記コネクタハウジングは、前記端子側回路基板が収容される収容部を備えたロアハウジングと、前記ロアハウジングに組み付けられるアッパーハウジングと、を備え、前記基板保持部は、前記ロアハウジングに形成されたロア側基板保持部と、前記アッパーハウジングに形成されたアッパー側基板保持部と、を備え、前記端子側回路基板は、前記アッパーハウジングが前記ロアハウジングに組み付けられた状態で、前記ロア側基板保持部と前記アッパー側基板保持部との間に挟まれて保持されていることが好ましい。
【００１２】
上記の態様によれば、ロアハウジングにアッパーハウジングを組み付けることにより、端子側回路基板をコネクタハウジングに対して相対的な位置がずれないようにすることができる。この結果、端子側回路基板を基板保持部に保持するための特別な工程が不要となるので、光コネクタの製造コストを一層削減できる。
【００１３】
前記開口部は前記アッパーハウジングに形成されていることが好ましい。
【００１４】
上記の態様によれば、アッパーハウジングをロアハウジングに組み付けた後でも、端子と端子側回路基板との電気的な接続作業を行うことができる。これにより、端子と端子側回路基板との電気的な接続作業の作業性が向上する。
【００１５】
前記コネクタハウジングの内部には、前記端子側回路基板に可撓性回路基板を介して電気的に接続されると共に光電変換素子が接続された素子側回路基板が収容されており、前記素子側回路基板には前記光電変換素子を覆うと共に光ファイバーが内挿されるスリーブ部を備えたスリーブ部材が取り付けられており、前記コネクタハウジングには前記スリーブ部材を保持するスリーブ保持部が形成されていることが好ましい。
【００１６】
上記の態様によれば、スリーブ部材がスリーブ保持部によって保持されることにより、コネクタハウジングと、スリーブ部材及び素子側回路基板との相対的な位置がずれないようになっている。これにより、可撓性回路基板を介して接続された端子側回路基板及び素子側回路基板の双方が、コネクタハウジングに対して相対的な位置がずれないようになっている。この結果、端子側回路基板と端子とのはんだ付け作業の際に、可撓性回路基板の反力によって端子側回路基板とコネクタハウジングとの相対的な位置がずれることを確実に抑制できるので、端子と端子側回路基板との電気的な接続信頼性を向上させることができる。
【００１７】
前記コネクタハウジングの外側には金属製のシールドシェルが取り付けられており、前記開口部は前記シールドシェルによって塞がれていることが好ましい。
【００１８】
上記の態様によれば、シールドシェルによって開口部が塞がれているので、開口部から異物がコネクタハウジング内に侵入することを抑制できる。
【発明の効果】
【００１９】
本発明によれば、光コネクタの製造コストを低減させることができる。
【図面の簡単な説明】
【００２０】
【図１】図１は本発明の実施形態１に係る光コネクタを示す断面図であって、図２におけるＩ−Ｉ線断面図である。
【図２】図２は光コネクタを示す平面図である。
【図３】図３は光コネクタを示す斜視図である。
【図４】図４はアッパーハウジングが取り付けられる前の状態における光コネクタを示す平面図である。
【図５】図５は光コネクタを示す断面図であって、図８におけるＶ−Ｖ線断面図である。
【図６】図６は端子側回路基板、可撓性回路基板、及び素子側回路基板を示す側面図である。
【図７】図７はロアハウジングを示す平面図である。
【図８】図８はアッパーハウジングがロアハウジングに取り付けられた状態を示す光コネクタの平面図である。
【図９】図９はアッパーハウジングを示す底面図である。
【図１０】図１０はアッパーハウジングを示す斜視図である。
【図１１】図１１は端子側回路基板とコネクタハウジングとの保持構造を示す一部拡大断面図である。
【発明を実施するための形態】
【００２１】
＜実施形態１＞
本発明の実施形態１を、図１ないし図１１を参照しつつ説明する。本実施形態における光コネクタ１０は、図示しない自動車等の車両に搭載される。光コネクタ１０は、端子１１と、コネクタハウジング１２と、コネクタハウジング１２内に収容されて端子１１と電気的に接続された端子側回路基板１３と、を備える。この光コネクタ１０の端子１１が回路基板１４に接続された光通信基板１５は、ケース１６内に収容されて光通信機器１７を構成する。以下の説明では、図１における右方を前方とし、左方を後方とする。また、図１における上方を上方とし、下方を下方とする。
【００２２】
（コネクタハウジング１２）
コネクタハウジング１２は合成樹脂製であって、略直方体形状をなしている。コネクタハウジング１２は、ロアハウジング１８と、このロアハウジング１８に組み付けられるアッパーハウジング１９と、を備える。ロアハウジング１８は、上方に開口して端子側回路基板１３が収容される収容部２０と、前方に開口して図示しない相手側コネクタが嵌合されるフード部２１と、を備える。収容部２０には、上方からアッパーハウジング１９が組み付けられるようになっている。ロアハウジング１８とアッパーハウジング１９とは、圧入、弾性的なロック機構、ネジ止め、接着等、公知の手法により固定される。
【００２３】
（シールドシェル２２）
コネクタハウジング１２の外側には、図１乃至図３に示すように、フード部２１を除いた部分を覆うように、シールドシェル２２が取り付けられている。シールドシェル２２は、金属板材を所定形状にプレス加工したものであり、その前面と下面とが開放されている。
【００２４】
図１に示すように、シールドシェル２２の下端部には、下方に向かって突出するように設けられた複数の接続脚部２３が形成されている。この接続脚部２３は、回路基板１４に貫通されて、はんだ付け等の公知の手法によって回路基板１４に形成された導電路（図示せず）に接続されている。
【００２５】
（端子側回路基板１３）
図１に示すように、ロアハウジング１８の収容部２０内には、端子側回路基板１３と、この端子側回路基板１３の前端部に電気的に接続されて前方に延びる可撓性回路基板２４と、この可撓性回路基板２４の前端縁に電気的に接続されると共に光電変換素子２５が接続された素子側回路基板２６と、が収容されている。可撓性回路基板２４は側方から見て略直角に折り曲げられており、端子側回路基板１３の板面と素子側回路基板２６の板面とは略直交した配置になっている。可撓性回路基板２４は、絶縁性の樹脂フィルムの表面に導電路が形成された、いわゆるフレキシブルプリント基板でもよく、また、比較的に薄い絶縁基板にプリント配線技術により導電路が形成された、いわゆるリジッドフレキシブル基板でもよい。
【００２６】
図４に示すように、端子側回路基板１３は略長方形状をなしている。端子側回路基板１３にはプリント配線技術により導電路が形成されている。端子側回路基板１３には複数（本実施形態では１０個）のスルーホール２７Ａが形成されており、このスルーホール２７Ａの内壁面には導電路が形成されている。端子１１の上端部は内側接続部２８とされており、この内側接続部２８がスルーホール２７Ａの内部に貫通されている。内側接続部２８とスルーホール２７Ａの導電路とは、はんだ付けされることにより電気的に接続されている。上記の端子１１は細長い棒状をなしており、金属板材を所定の形状にプレス加工してなる。
【００２７】
図１に示すように、端子１１は端子側回路基板１３から下方に延出されて、ロアハウジング１８の底壁に設けられた端子固定部２９に圧入されて、下方に突出している。換言すると、端子１１は端子固定部２９においてコネクタハウジング１２の内部に導入されている。ロアハウジング１８から下方に突出した端子１１の下端部は、コネクタハウジング１２の外部に位置する外側接続部３０とされる。この外側接続部３０は、回路基板１４に形成されたスルーホール２７Ｂ内に上方から挿通されて、公知のリフローはんだ付けによりはんだ付けされている。なお、回路基板１４にはプリント配線技術により導電路が形成されており、この導電路はスルーホール２７Ｂ内に形成された導電路と電気的に接続されている。
【００２８】
（素子側回路基板２６）
図５に示すように、素子側回路基板２６にはプリント配線技術により図示しない導電路が形成されている。この導電路には光電変換素子２５が電気的に接続されている。本実施形態においては、光電変換素子２５として、電気信号を光信号に変換する発光素子（ＶＣＳＥＬ：Ｖｅｒｔｉｃａｌ  Ｃａｖｉｔｙ  Ｓｕｒｆａｃｅ  Ｅｍｉｔｔｉｎｇ  ＬＡＳＥＲ）と、光信号を電気信号に変換する受光素子（フォトダイオード）と、が素子側回路基板２６に接続されている。本実施形態では、１枚の素子側回路基板２６の前面に受光素子および発光素子の両方を実装することで、素子側回路基板２６が小型化されている。
【００２９】
（スリーブ部材３１）
素子側回路基板２６の前面には、光電変換素子２５を覆うようにスリーブ部材３１が取り付けられている。図４及び図６に示すように、スリーブ部材３１は、光透過性を有する合成樹脂（例えば、ポリエーテルイミド（ＰＥＩ）、ポリカーボネート（ＰＣ）、ポリメタクリル酸メチル樹脂（ＰＭＭＡ））の成形物であり、図示しない光ファイバーの端部に外嵌された図示しないフェルールが挿入可能な略円筒形状の一対のスリーブ部３２と、光ファイバーの軸線の延長上に配された一対のレンズ部３３とが一体に成形されている。
【００３０】
各スリーブ部３２は、互いに同一形状であって、同じ高さ位置に配されており、先端部に外部のフェルールを装着可能な装着凹部３５が形成されている。
【００３１】
図１に示すように、レンズ部３３は、共に各スリーブ部３２の軸線上に設けられ、素子側回路基板２６に実装されている各光電変換素子２５と対向している。これにより、一方のレンズ部３３が発光素子から出射された光を光ファイバーの端面に集光させ、他方のレンズ部３３が光ファイバーからの光を受光素子に集光させる。素子側回路基板２６の板面は、スリーブ部３２の延出方向（前後方向）に対して略直交している。
【００３２】
スリーブ部３２の後方は、ロアハウジング１８に固定されるハウジング固定部３６と、ハウジング固定部３６の後方に連なり素子側回路基板２６に固定される基板固定部３７とが、スリーブ部３２に一体に形成されている。
【００３３】
図４及び図６に示すように、ハウジング固定部３６は、外方に突出するフランジ部３８と、円形曲面状の外周面を有する曲面部３９と、を備える。フランジ部３８は、その外形が左右方向（スリーブ部３２の並び方向）に長い長方形の板状であって、一対のスリーブ部３２の基端部間に亘って形成されている。フランジ部３８の上端は一対のスリーブ部３２の上端位置と略同じ高さに形成されている。また、フランジ部３８の下端はスリーブ部３２の下端位置よりも下方に突出して形成されている。
【００３４】
曲面部３９の上端はアッパー側固定壁４０（スリーブ保持部に相当）によって上方から押さえられる。アッパー側固定壁４０は、アッパーハウジング１９の上壁から下方に突出して形成されている。また、曲面部３９の下端は、ロアハウジング１８に形成されたロア側固定壁４１（スリーブ保持部に相当）によって下方から押さえられる。ロア側固定壁４１は、ロアハウジング１８の底壁から上方に突出して形成されている。
【００３５】
図５に示すように、アッパーハウジング１９がロアハウジング１８に組み付けられた状態では、曲面部３９は、ロア側固定壁４１と、アッパー側固定壁４０とによって、上下から挟まれて保持されるようになっている。これにより、スリーブ部材３１とコネクタハウジング１２との相対的な位置がずれることが抑制されるようになっている。
【００３６】
基板固定部３７は、左右方向に長い長方形状をなすと共に、後方に開口された箱状をなしている。基板固定部３７は、素子側回路基板２６に対して、接着、溶着、ネジ止め等、公知の手法によって固定されている。
【００３７】
（端子側回路基板１３の保持構造）
図７に示すように、ロアハウジング１８の端子固定部２９は上方から見て略長方形状をなしている。端子固定部２９の上面には、上方に突出する複数のロア側基板保持部４２（基板保持部に相当）が形成されている。本実施形態では、ロア側基板保持部４２は、端子固定部２９の四隅部に、それぞれが離間して形成されている。４つのロア側基板保持部４２の、端子固定部２９の上面からの突出高さ寸法は、略同じに設定されている。ロア側基板保持部４２の上側には、端子側回路基板１３が載置される。端子固定部２９の形状は、端子側回路基板１３と同じか、やや大きく形成されている。
【００３８】
図８に示すように、アッパーハウジング１９の上壁には、上方から見て略長方形状をなす開口部４３が形成されている。アッパーハウジング１９がロアハウジング１８に組み付けられた状態で、開口部４３からは、端子１１の内側接続部２８と、端子側回路基板１３とが露出されるようになっている。この開口部４３は、コネクタハウジング１２の外側にシールドシェル２２が取り付けられた状態では、シールドシェル２２によって塞がれるようになっている（図１参照）。
【００３９】
図９及び図１０に示すように、アッパーハウジング１９の上壁には、アッパーハウジング１９がロアハウジング１８に組み付けられた状態で、ロア側基板保持部４２に対応する位置に、下方に突出するアッパー側基板保持部４４（基板保持部に相当）が形成されている。アッパー側基板保持部４４は柱状に形成されている。
【００４０】
図１１に示すように、アッパーハウジング１９がロアハウジング１８に組み付けられた状態では、端子側回路基板１３は、ロア側基板保持部４２と、アッパー側基板保持部４４とによって上下から挟み付けて保持されるようになっている。これにより、端子側回路基板１３とコネクタハウジング１２との相対的な位置がずれることが抑制されるようになっている。
【００４１】
続いて、光コネクタ１０の製造方法の一例を説明する。素子側回路基板２６に光電変換素子２５を接続し、この光電変換素子２５を覆うようにスリーブ部材３１を素子側回路基板２６に取り付ける。
【００４２】
次に、ロアハウジング１８の端子固定部２９に、外側接続部３０が下方を向く姿勢で、端子１１を上方から圧入する。
【００４３】
次に、ロアハウジング１８の収容部２０内に、端子側回路基板１３、可撓性回路基板２４、及び素子側回路基板２６を収容する。このとき、可撓性回路基板２４を側方から見て略Ｌ字状に曲げることにより、端子側回路基板１３の板面と素子側回路基板２６の板面とが略直交する姿勢にする。
【００４４】
スリーブ部材３１に形成された曲面部３９の下端を、ロアハウジング１８に形成されたロア側固定壁４１の上に載置する。続いて、端子側回路基板１３のスルーホール２７Ａ内に、端子１１の内側接続部２８を挿通させながら、端子側回路基板１３を基板固定部３７の上に載置する。このとき、端子１１回路基板１４は、ロア側基板保持部４２の上に載置されるようになっている。
【００４５】
続いて、アッパーハウジング１９を上方からロアハウジング１８に組み付けて固定する。すると、スリーブ部材３１に形成されたフランジ部３８及び基板固定部３７の間には、アッパーハウジング１９に形成されたアッパー側固定壁４０が嵌入される。また、スリーブ部材３１に形成された曲面部３９の上端はアッパー側固定壁４０によって上方から押さえられる。これにより、スリーブ部材３１の曲面部３９は、ロア側固定壁４１と、アッパー側固定壁４０とによって、上下から挟まれて保持される。これにより、スリーブ部材３１とコネクタハウジング１２との相対的な位置がずれることが抑制される。
【００４６】
また、端子側回路基板１３は、ロア側基板保持部４２と、アッパー側基板保持部４４とによって上下から挟み付けて保持されるようになっている。これにより、端子側回路基板１３とコネクタハウジング１２との相対的な位置がずれることが抑制される。
【００４７】
次に、開口部４３からはんだ付け用の工具（図示せず）を挿入し、端子１１の内側接続部２８と、端子側回路基板１３の導電路とをはんだ付けする。内側接続部２８及び端子側回路基板１３は、開口部４３からコネクタハウジング１２の外部に露出しているので、工具を開口部４３内に挿入して、容易にはんだ付けを行うことができる。
【００４８】
次に、コネクタハウジング１２の外側にシールドシェル２２を取り付ける。これにより光コネクタ１０が完成する。
【００４９】
次いで、コネクタの下方に回路基板１４を装着し、端子１１の外側接続部３０を回路基板１４のスルーホール２７Ｂにフロー半田付け等により半田付けして光通信基板１５を形成する。また、光通信基板１５をケース１６内に収容して光通信機器１７を形成する。光コネクタ１０、光通信基板１５、及び光通信機器１７は、車両内に任意の姿勢で配置することができる。
【００５０】
続いて、本実施形態の作用、効果について説明する。本実施形態によれば、アッパーハウジング１９とロアハウジング１８とを組み付けた状態において、開口部４３から工具を挿入して、コネクタハウジング１２の外部に露出した状態になっている端子１１の内側接続部２８と端子側回路基板１３とをはんだ付けすることができる。はんだ付けの作業の際、端子側回路基板１３は基板保持部で保持されることにより、コネクタハウジング１２との相対的な位置がずれないようになっている。このため、端子側回路基板１３とコネクタハウジング１２との相対的な位置がずれないように保持するための治具が不要となる。更には、この治具の取り付け工程、及び取り外し工程が不要となるので、製造工程も削減できる。この結果、光コネクタ１０の製造コストを削減できる。
【００５１】
また、本実施形態によれば、基板保持部は、ロアハウジング１８に形成されたロア側基板保持部４２と、アッパーハウジング１９に形成されたアッパー側基板保持部４４と、を備え、端子側回路基板１３は、アッパーハウジング１９がロアハウジング１８に組み付けられた状態で、ロア側基板保持部４２とアッパー側基板保持部４４との間に挟まれて保持されている。これにより、ロアハウジング１８にアッパーハウジング１９を組み付けるという簡易な工程により、端子側回路基板１３をコネクタハウジング１２に対して相対的な位置がずれないようにすることができる。この結果、端子側回路基板１３を基板保持部に保持するための特別な工程が不要となるので、光コネクタ１０の製造コストを一層削減できる。
【００５２】
また、本実施形態によれば、開口部４３はアッパーハウジング１９に形成されている。これにより、アッパーハウジング１９をロアハウジング１８に組み付けた後でも、端子１１と端子側回路基板１３とのはんだ付けを行うことができる。この結果、端子１１と端子側回路基板１３とのはんだ付け作業の作業性が向上する。
【００５３】
また、本実施形態によれば、コネクタハウジング１２の内部には、端子側回路基板１３に可撓性回路基板２４を介して電気的に接続されると共に光電変換素子２５が接続された素子側回路基板２６が収容されており、素子側回路基板２６には光電変換素子２５を覆うと共に光ファイバーが内挿されるスリーブ部３２を備えたスリーブ部材３１が取り付けられており、コネクタハウジング１２にはスリーブ部材３１を保持するスリーブ保持部が形成されている。このように、スリーブ部材３１がスリーブ保持部によって保持されることにより、コネクタハウジング１２と、スリーブ部材３１及び素子側回路基板２６との相対的な位置がずれないようになっている。これにより、可撓性回路基板２４を介して接続された端子側回路基板１３及び素子側回路基板２６の双方が、コネクタハウジング１２に対して相対的な位置がずれないようになっている。この結果、端子側回路基板１３と端子１１とのはんだ付け作業の際に、可撓性回路基板２４の反力によって端子側回路基板１３とコネクタハウジング１２との相対的な位置がずれることを確実に抑制できるので、端子１１と端子側回路基板１３との電気的な接続信頼性を向上させることができる。
【００５４】
また、本実施形態によれば、コネクタハウジング１２の外側には金属製のシールドシェル２２が取り付けられており、開口部４３はシールドシェル２２によって塞がれている。これにより、シールドシェル２２によって開口部４３が塞がれているので、開口部４３から異物がコネクタハウジング１２内に侵入することを抑制できる。
【００５５】
＜他の実施形態＞
本発明は上記記述及び図面によって説明した実施形態に限定されるものではなく、例えば次のような実施形態も本発明の技術的範囲に含まれる。
（１）本実施形態においては、基板保持部は、ロアハウジング１８に形成されたロア側基板保持部４２と、アッパーハウジング１９に形成されたアッパー側基板保持部４４とを備える構成としたが、これに限られず、基板保持部の形状は必要に応じて任意の形状を採用しうる。例えば、基板保持部は、回路基板１４の側縁が嵌入される溝状に形成されていてもよい。
【００５６】
（２）本実施形態においては、開口部４３は、シールドシェル２２とは別体の蓋部材によって塞がれる構成としてもよい。
【００５７】
（３）ロア側固定壁４１及びアッパー側固定壁４０は省略してもよい。
【００５８】
（４）開口部４３はロアハウジング１８に形成されていてもよい。
【００５９】
（５）本実施形態では、４つのロア側基板保持部４２と、４つのアッパー側基板保持部４４が形成される構成としたが、これに限られず、必要に応じて任意の個数のロア側基板保持部４２及びアッパー側基板保持部４４を形成することができる。
【００６０】
（６）ロア側基板保持部４２及びアッパー側基板保持部４４の形状は、柱状、リブ状等、必要に応じて任意の形状とすることができる。
【００６１】
（７）本実施形態では、端子１１と端子側回路基板１３とははんだ付けにより電気的に接続される構成としたが、これに限られず、ろう付け、レーザー溶接等、必要に応じて任意の手段により電気的に接続される構成とすることができる。
【符号の説明】
【００６２】
１０...光コネクタ
１１...端子
１２...コネクタハウジング
１３...端子側回路基板
１４...回路基板
１５...光通信基板
１６...ケース
１７...光通信機器
１８...ロアハウジング
１９...アッパーハウジング
２２...シールドシェル
２４...可撓性回路基板
２５...光電変換素子
２６...素子側回路基板
２８...内側接続部
３０...外側接続部
３１...スリーブ部材
３２...スリーブ部
４０...アッパー側固定壁（スリーブ保持部）
４１...ロア側固定壁（スリーブ保持部）
４２...ロア側基板保持部（基板保持部）
４３...開口部
４４...アッパー側基板保持部（基板保持部）
【図１】
2014032298.tif 000003
【図２】
2014032298.tif 000004
【図３】
2014032298.tif 000005
【図４】
2014032298.tif 000006
【図５】
2014032298.tif 000007
【図６】
2014032298.tif 000008
【図７】
2014032298.tif 000009
【図８】
2014032298.tif 000010
【図９】
2014032298.tif 000011
【図１０】
2014032298.tif 000012
【図１１】
2014032298.tif 000013